【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
表示システムであって、
発光デバイスおよびスイッチ・トランジスタを含むピクセル回路であって、前記ピクセル回路をプログラミングするためのプログラミング電流と、前記ピクセル回路のプログラミングの促進のため及びエージングに対する補償のためのバイアス電流と、前記ピクセル回路の発光デバイスを駆動するための駆動電流とのうちの少なくとも１つを受けるように構成されるピクセル回路と、
前記ピクセル回路の前記スイッチ・トランジスタのゲート端子と接続されたアドレス線を介して前記スイッチ・トランジスタを駆動するためのゲート・ドライバと、
前記ピクセル回路へ結合されたデータ線とバイアス線と電源線とのうちの少なくとも１つへ時変電圧を供給するためのランプ電圧発生器と、
前記ランプ電圧発生器と直列に接続され、前記ランプ電圧発生器からの前記時変電圧を、前記プログラミング電流と前記バイアス電流と前記駆動電流とのうちの少なくとも１つに変換するキャパシタと、
前記ランプ電圧発生器の前記時変電圧の生成および前記ゲート・ドライバの動作を制御することにより、前記ピクセル回路のプログラミングおよび駆動を制御およびスケジューリングするためのコントローラと
を備える表示システム。
【請求項２】
請求項１に記載の表示システムであって、
ピクセル・アレイを形成するように列及び行に配列された複数のピクセル回路を含み、
前記キャパシタが前記ピクセル・アレイのそれぞれの列に割り付けられ、前記列の前記ピクセル回路へ前記プログラミング電流または前記バイアス電流を供給する、
表示システム。
【請求項３】
請求項２に記載の表示システムであって、前記ランプ電圧発生器により生成された前記時変電圧は、前記ピクセル・アレイの１列よりも多い列における前記ピクセル回路で共有される、表示システム。
【請求項４】
請求項１に記載の表示システムであって、前記キャパシタは前記ピクセル回路内に位置するものであり、前記キャパシタは、前記データ線へ供給された電圧プログラミング情報を蓄積するための、前記ピクセル回路のストレージ・キャパシタとして作用し、また、前記キャパシタは、前記ランプ電圧発生器と関連し、前記時変電圧に従って、プログラミング・サイクル中に前記バイアス電流を印加するように、または駆動サイクル中に前記駆動電流を供給するように構成される容量性電流ドライバとして作用する、表示システム。
【請求項５】
請求項１に記載の表示システムであって、前記ピクセル回路は電流プログラム型ピクセル回路であり、前記ランプ電圧発生器および前記キャパシタは、前記データ線を介して、前記プログラミング電流を前記ピクセル回路へ供給する、表示システム。
【請求項６】
請求項１に記載の表示システムであって、
前記ピクセル回路は駆動トランジスタを更に備え、前記駆動トランジスタは、前記発光デバイスが結合される第１のノードと、電源線との間に直列に結合され、
前記キャパシタは、前記駆動トランジスタのゲート端子が結合される第２のノードと、前記データ線との間に直列に結合され、
前記スイッチ・トランジスタは、前記第１のノードと前記第２のノードとの間に結合され、
前記コントローラは、前記ランプ電圧発生器および前記ゲート・ドライバを動作させるものであり、その動作において、
前記時変電圧は、前記スイッチ・トランジスタがオンの間のプログラミング・サイクル中に前記データ線へ供給されるランプ電圧であり、前記ランプ電圧は、前記キャパシタによりバイアス電流へと変換され、前記バイアス電流は、前記駆動トランジスタおよび前記スイッチ・トランジスタを通じて送られて、前記駆動トランジスタの前記ゲート端子を、前記駆動トランジスタの電気的特性の関数に応じて、バイアス電圧へと調節することを可能とするものであり、
前記プログラミング・サイクル中に、プログラミング電圧が前記データ線へ供給されて、ストレージ・エレメントとしての前記キャパシタが前記プログラミング電圧に従ってプログラミングされ、
駆動サイクル中に、前記駆動トランジスタが光を出力させるように前記発光デバイスを駆動している間に、基準電圧が前記データ線へ供給されて前記基準電圧に対しての前記キャパシタの参照が行われる、
表示システム。
【請求項７】
請求項１に記載の表示システムであって、前記キャパシタは、電流を供給するための出力ノードへ結合する複数のキャパシタのうちの１つであり、前記複数のキャパシタのそれぞれは、異なるサイズを有し、制御信号に基づいて前記時変電圧を受け取る、表示システム。
【請求項８】
請求項１に記載の表示システムであって、前記キャパシタは、電流を供給するための出力ノードへ結合する複数のキャパシタのうちの１つであり、前記複数のキャパシタのそれぞれは、制御信号に基づいて対応する時変電圧を受け取る、表示システム。
【請求項９】
請求項７または８に記載の表示システムであって、
前記複数のキャパシタを含むデジタル・アナログ変換器を更に備え、かつ
前記複数のキャパシタにより生成された電流をコピーするため、およびコピーされた前記電流を前記表示システムへ供給するためのコピア・ブロックを更に備える
表示システム。
【請求項１０】
請求項１に記載の表示システムであって、前記キャパシタは、複数の層を有するインター・デジタル型キャパシタを含む、表示システム。
【請求項１１】
請求項１０に記載の表示システムであって、
前記発光デバイスは、下部電極とＯＬＥＤ層とを有する有機発光ダイオード（ＯＬＥＤ）デバイスを含み、
前記有機発光ダイオード・デバイスの前記下部電極は、前記インター・デジタル型キャパシタの第１層上に形成され、前記インター・デジタル型キャパシタの第２層は、前記有機発光ダイオード・デバイスの前記下部電極と相互接続される、
表示システム。
【請求項１２】
請求項１１に記載の表示システムであって、前記有機発光ダイオード・デバイスの前記下部電極は透明電極であり、前記キャパシタの前記複数の層は、前記透明電極上の前記ＯＬＥＤ層からの光を覆うことなく、前記透明電極の下に設置される、表示システム。
【請求項１３】
請求項１に記載の表示システムであって、
前記ピクセル回路は前記キャパシタを含み、前記キャパシタは、電源線と前記発光デバイスとの間に直列に接続され、前記スイッチ・トランジスタは、前記データ線と、前記キャパシタと前記発光デバイスとの間のノードとの間に結合され、
前記コントローラは、前記ランプ電圧発生器および前記ゲート・ドライバを動作させて、
プログラミング・サイクル中に、前記スイッチ・トランジスタがオンのときに、前記ノードで前記キャパシタへ電圧を充電するように前記データ線へプログラミング電圧が供給されるようにし、
前記プログラミング・サイクルに続いての駆動サイクル中に、前記スイッチ・トランジスタがオフのときに、ランプ電圧が前記電源線へ供給されるようにし、前記ランプ電圧が前記キャパシタにより駆動電流へと変換され、前記発光デバイスがオンにされて前記駆動電流が前記発光デバイスを通じて流れるまで前記ノードから放電が行われるようにして、前記発光デバイスから出力される光が、前記プログラミング電圧に従って時間により変調されるようにする、
表示システム。
【請求項１４】
発光デバイスと、前記発光デバイスを駆動するための駆動トランジスタと、前記駆動トランジスタおよび前記発光デバイスの双方と結合する第１ノードと、前記駆動トランジスタのゲート端子と結合する第２ノードと、前記第１ノードと前記第２ノードとの間に結合されるスイッチ・トランジスタと、データ線と前記第２ノードとの間に結合されるストレージ・キャパシタとを含むピクセル回路を動作させる方法であって、
プログラミングのサイクル中に、前記データ線を介して前記ストレージ・キャパシタへ供給される時変電圧を充電し、前記スイッチ・トランジスタがオンにされているときに前記キャパシタが前記駆動トランジスタへ電気的に結合し、それにより、バイアス電流が、前記駆動トランジスタおよび前記スイッチ・トランジスタを通じて流れ且つ前記ストレージ・キャパシタを通って流れて、前記駆動トランジスタの前記ゲート端子を、前記駆動トランジスタの電気的特性の関数に応じて、バイアス電圧へと調節することを可能とするステップと、
前記プログラミングの動作中に、前記データ線へプログラミング電圧を印加して、前記プログラミング電圧に従って前記ストレージ・キャパシタをプログラミングするステップと、
駆動の動作中に、光を出力させるように前記駆動トランジスタが前記発光デバイスを駆動している間に、前記データ線へ基準電圧を印加して、前記基準電圧に対しての前記キャパシタの参照を行うステップと
を備える方法。
【請求項１５】
請求項１４に記載の方法であって、前記時変電圧は、基準電圧と前記プログラミング電圧との間で変化するものであり、且つランプ電圧発生器を介して供給されるものであり、
前記プログラミング・サイクルの最初の段階において、前記時変電圧が前記データ線へ供給されているときに、前記スイッチ・トランジスタをオンにするステップと、
前記プログラミング・サイクルの第２の段階において、前記プログラミング電圧が前記データ線で維持されているときに、前記スイッチ・トランジスタをオフにするステップと
を備える方法。